(57)【要約】【課題】ネットワークを介して名刺の編集を行う際のユーザの利便性を向上させる。【解決手段】Ｗｅｂサーバとクライアントとをインターネットを介して接続し、名刺編集システムを構築する。Ｗｅｂサーバは、名刺に記載すべき個人情報の編集内容と名刺画像とを同時に確認可能なように、名刺画像ＣＰａと編集欄Ｒａとが一体的に構成された編集ページＷ２ａをクライアントに送信する。また、Ｗｅｂサーバは、クライアントで編集欄Ｒａの各テキストボックスに個人情報が入力されるごとに個人情報を取得し、名刺画像ＣＰａを生成する。【選択図】  図６
2004227407.tif 000002
【特許請求の範囲】
【請求項１】
クライアントとネットワークを介して接続され、前記クライアントからの指示に基づき名刺の編集を行う編集装置であって、
前記クライアントからの要求に応じて、該クライアントに、前記名刺に記載すべき個人情報を編集するための編集画面を提供する編集画面提供部と、
前記クライアントに提供された前記編集画面上で編集された前記個人情報を取得する個人情報取得部と、
前記個人情報取得部が前記個人情報を取得するごとに、予め設定された位置に前記個人情報を配置した名刺画像を生成する画像生成部と、
前記クライアントに前記編集画面とともに表示可能なように、前記名刺画像を前記クライアントに提供する画像提供部と、
を備える編集装置。
【請求項２】
請求項１記載の編集装置であって、更に、
前記名刺に用いられる複数のテンプレートと、該テンプレートを識別するための識別情報とを対応付けて記憶する記憶部と、
前記クライアントで選択された前記テンプレートに対応する前記識別情報を、前記クライアントから取得する識別情報取得部と、を備え、
前記画像生成部は、前記識別情報に対応した前記テンプレート上に前記個人情報を配置した画像を生成する、
編集装置。
【請求項３】
請求項２記載の編集装置であって、更に、
前記クライアントに、前記複数のテンプレートの中から所定のテンプレートを選択可能なように、前記複数のテンプレートを提供するテンプレート提供部を備える、
編集装置。
【請求項４】
請求項２記載の編集装置であって、更に、
前記個人情報取得部が取得した前記個人情報を保持する個人情報保持部を備え、
前記画像生成部は、前記個人情報保持部に保持された前記個人情報と、前記識別情報に対応した前記テンプレートとを用いて前記名刺画像を生成する、
編集装置。
【請求項５】
請求項１記載の編集装置であって、
前記編集画面提供部と前記画像提供部とは、前記クライアントからの表示指示に関わらずに、前記クライアントに前記編集画面と前記名刺画像とが併せて表示されるように、前記編集画面と前記名刺画像とを提供する、
編集装置。
【請求項６】
請求項５記載の編集装置であって、
前記編集画面提供部と前記画像提供部とは、前記クライアントにおいて、前記編集画面と前記名刺画像とが別ウィンドウで表示されるように、前記編集画面と前記名刺画像とを提供する、
編集装置。
【請求項７】
請求項５記載の編集装置であって、
前記編集画面提供部と前記画像提供部とは、前記クライアントにおいて、前記編集画面と前記名刺画像とが同一ウィンドウで表示されるように、前記編集画面と前記名刺画像とを提供する、
編集装置。
【請求項８】
請求項１記載の編集装置であって、
前記編集画面提供部と前記画像提供部とは、前記名刺画像の縦方向の長さと、横方向の長さとの比に基づいて、前記編集画面および前記名刺画像の配置を切り換えて、前記編集画面と前記名刺画像とを提供する、
編集装置。
【請求項９】
請求項１記載の編集装置であって、
前記個人情報取得部は、前記クライアントの利用者の送信指示に関わらずに、所定のタイミングで、前記個人情報を取得する、
編集装置。
【請求項１０】
請求項９記載の編集装置であって、
前記編集画面は、前記個人情報の複数の項目について、別個に編集可能に構成されており、
前記所定のタイミングは、前記クライアントに提供された編集画面上で、前記各項目が入力されるごとのタイミングである、
編集装置。
【請求項１１】
クライアントとネットワークを介して接続された編集装置によって、前記クライアントからの指示に基づき名刺の編集を行う編集方法であって、
（ａ）前記クライアントからの要求に応じて、該クライアントに、前記名刺に記載すべき個人情報を編集するための編集画面を提供する工程と、
（ｂ）前記クライアントに提供された前記編集画面上で編集された前記個人情報を取得する工程と、
（ｃ）前記個人情報を取得するごとに、予め設定された位置に前記個人情報を配置した名刺画像を生成する工程と、
（ｄ）前記クライアントに前記編集画面とともに表示可能なように、前記名刺画像を前記クライアントに提供する工程と、
を備える編集方法。
【請求項１２】
クライアントとネットワークを介して接続され、前記クライアントからの指示に基づき名刺の編集を行う編集装置の動作を制御するためのコンピュータプログラムであって、
前記クライアントからの要求に応じて、該クライアントに、前記名刺に記載すべき個人情報を編集するための編集画面を提供する機能と、
前記クライアントに提供された前記編集画面上で編集された前記個人情報を取得する機能と、
前記個人情報を取得するごとに、予め設定された位置に前記個人情報を配置した名刺画像を生成する機能と、
前記クライアントに前記編集画面とともに表示可能なように、前記名刺画像を前記クライアントに提供する機能と、
をコンピュータに実現させるためのコンピュータプログラム。
【請求項１３】
請求項１２記載のコンピュータプログラムをコンピュータ読み取り可能に記録した記録媒体。
【発明の詳細な説明】
【０００１】
【発明の属する技術分野】
本発明は、ネットワークを介した名刺の編集に関する。
【０００２】
【従来の技術】
従来、インターネット等のネットワークに接続された情報端末（クライアント）からネットワークを介して名刺の受発注を行う技術が提案されている（例えば、特許文献１、特許文献２参照）。この技術では、発注者は、ブラウザを備えたパーソナルコンピュータなどを用いて、受注者が管理するサーバによって提供される所定のＷｅｂページにアクセスする。そして、発注者は、複数用意されたテンプレートの中から好みのデザインやレイアウトを選択し、会社名・団体名、部署名、肩書き、氏名、住所、電話番号、ＦＡＸ番号、電子メールアドレスなど名刺に記載すべき個人情報を編集・入力する。受注者側のサーバは、入力された個人情報に基づいて、印刷結果となる名刺画像を生成し、発注者側に提供する。そして、発注者はブラウザ上で名刺画像を確認して、発注することが可能である。
【０００３】
【特許文献１】
特開２００２−１５１８６号公報
【特許文献２】
特開２００２−２５９４９９号公報
【０００４】
【発明が解決しようとする課題】
しかし、従来の技術では、クライアントでは、個人情報の編集・入力と、名刺画像の確認とを同時に行えなかったり、個人情報の編集・入力後に、デザインやレイアウトだけを容易に変更できなかったりして、使い勝手が悪かった。
【０００５】
本発明は、上述の課題を解決するためになされたものであり、ネットワークを介して名刺の編集を行う際のユーザの利便性を向上させることを目的とする。
【０００６】
【課題を解決するための手段およびその作用・効果】
上述の課題の少なくとも一部を解決するため、本発明では、以下の構成を採用した。
本発明の編集装置は、
クライアントとネットワークを介して接続され、前記クライアントからの指示に基づき名刺の編集を行う編集装置であって、
前記クライアントからの要求に応じて、該クライアントに、前記名刺に記載すべき個人情報を編集するための編集画面を提供する編集画面提供部と、
前記クライアントに提供された前記編集画面上で編集された前記個人情報を取得する個人情報取得部と、
前記個人情報取得部が前記個人情報を取得するごとに、予め設定された位置に前記個人情報を配置した名刺画像を生成する画像生成部と、
前記クライアントに前記編集画面とともに表示可能なように、前記名刺画像を前記クライアントに提供する画像提供部と、
を備えることを要旨とする。
【０００７】
こうすることによって、クライアントで個人情報の編集画面と名刺画像とを同時に確認することができる。従って、ユーザの利便性を向上させることができる。
【０００８】
上記編集装置において、更に、
前記名刺に用いられる複数のテンプレートと、該テンプレートを識別するための識別情報とを対応付けて記憶する記憶部と、
前記クライアントで選択された前記テンプレートに対応する前記識別情報を、前記クライアントから取得する識別情報取得部と、を備え、
前記画像生成部は、前記識別情報に対応した前記テンプレート上に前記個人情報を配置した画像を生成するようにすることができる。
【０００９】
「テンプレート」は、名刺の全体的なデザインである。テンプレートに含まれる情報としては、例えば、名刺の背景デザインや、個人情報の段組み、文字サイズ、フォントなどが挙げられる。本発明によって、クライアントでは、複数のテンプレートの中から、ユーザの好みのテンプレートを選択して編集することができる。なお、テンプレートは、クライアントから新たに登録できるようにしてもよい。また、クライアントで選択可能なテンプレートは１つとは限らず、複数のテンプレートを選択可能としてもよい。
【００１０】
上記編集装置において、更に、
前記クライアントに、前記複数のテンプレートの中から所定のテンプレートを選択可能なように、前記複数のテンプレートを提供するテンプレート提供部を備えるようにすることができる。
【００１１】
こうすることによって、クライアントでは、所望のテンプレートを容易に選択することができる。
【００１２】
また、上記記憶部を備える編集装置において、更に、
前記個人情報取得部が取得した前記個人情報を保持する個人情報保持部を備え、
前記画像生成部は、前記個人情報保持部に保持された前記個人情報と、前記識別情報に対応した前記テンプレートとを用いて前記名刺画像を生成するようにすることができる。
【００１３】
こうすることによって、クライアントで編集された個人情報を種々のテンプレートに流用することができる。従って、例えば、クライアントでテンプレートを変更する際などに個人情報を編集しなおす煩わしさを回避することができる。
【００１４】
本発明の編集装置において、
前記編集画面提供部と前記画像提供部とは、前記クライアントからの表示指示に関わらずに、前記クライアントに前記編集画面と前記名刺画像とが併せて表示されるように、前記編集画面と前記名刺画像とを提供するようにすることができる。
【００１５】
こうすることによって、クライアントで表示に関する設定を行うことなく、編集画面と名刺画像との確認を同時に行うことができる。
【００１６】
上記編集装置において、例えば、
前記編集画面提供部と前記画像提供部とは、前記クライアントにおいて、前記編集画面と前記名刺画像とが別ウィンドウで表示されるように、前記編集画面と前記名刺画像とを提供するようにすることができる。
【００１７】
こうすることによって、クライアントでは、編集画面と名刺画像との配置を任意に変更することができる。
【００１８】
また、前記編集画面提供部と前記画像提供部とは、前記クライアントにおいて、前記編集画面と前記名刺画像とが同一ウィンドウで表示されるように、前記編集画面と前記名刺画像とを提供するようにしてもよい。
【００１９】
こうすることによって、クライアントでは、常に同じ画面構成で編集画面と名刺画像とを確認することができる。
【００２０】
本発明の編集装置において、
前記編集画面提供部と前記画像提供部とは、前記名刺画像の縦方向の長さと、横方向の長さとの比に基づいて、前記編集画面および前記名刺画像の配置を切り換えて、前記編集画面と前記名刺画像とを提供するようにすることができる。
【００２１】
こうすることによって、クライアントで編集画面と名刺画像とを見易くすることができる。
【００２２】
なお、名刺画像の外形形状は、通常の矩形形状とは限らず、種々の形状を取り得る。従って、名刺画像の「縦方向の長さ」、「横方向の長さ」は、例えば、名刺画像の輪郭線に外接し、画面に対して水平および垂直な辺を有する矩形の縦方向および横方向の長さとすることができる。
【００２３】
本発明の編集装置において、
前記個人情報取得部は、前記クライアントの利用者の送信指示に関わらずに、所定のタイミングで、前記個人情報を取得するようにすることができる。
【００２４】
こうすることによって、利用者が名刺画像の送信指示を入力することなく、所定のタイミングで随時名刺画像を生成し、クライアントに表示させることができる。
【００２５】
上記編集装置において、所定のタイミングとしては、種々のタイミングを設定可能であるが、例えば、
前記編集画面は、前記個人情報の複数の項目について、別個に編集可能に構成されており、
前記所定のタイミングは、前記クライアントに提供された編集画面上で、前記各項目が入力されるごとのタイミングであるようにすることができる。
【００２６】
こうすることによって、クライアントでは、各項目の入力に同期して、編集装置から受信した名刺画像を表示して確認することができる。
【００２７】
なお、所定のタイミングとしては、各項目の入力ごとのタイミングの他に、例えば、文字入力の際の漢字変換の確定のタイミングや、３０秒ごとなど所定周期のタイミングなどを設定可能である。
【００２８】
本発明は、上述の編集装置としての構成の他、編集方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００２９】
本発明をコンピュータプログラムまたはそのプログラムを記録した記録媒体等として構成する場合には、編集装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【００３０】
【発明の実施の形態】
以下、本発明の実施の形態について、実施例に基づき以下の順序で説明する。
Ａ．名刺編集システムの構成：
Ｂ．Ｗｅｂサーバの構成：
Ｃ．名刺編集処理：
Ｄ．変形例：
【００３１】
Ａ．名刺編集システムの構成：
図１は、本発明の一実施例としての名刺編集システムの構成を示す説明図である。この名刺編集システムは、クライアント１０と、Ｗｅｂサーバ１００とを、インターネットＩＮＴを介して接続することによって構成されている。なお、図１では、１つのクライアント１０がインターネットＩＮＴを介してＷｅｂサーバに接続されている例を示したが、複数のクライアントがＷｅｂサーバ１００に接続可能である。
【００３２】
クライアント１０は、汎用のパーソナルコンピュータであり、ディスプレイや、キーボードや、マウスなどを備えている。また、クライアント１０は、Ｗｅｂページを閲覧したり、いわゆるＷｅｂプログラムを動作させたりするためのＷｅｂブラウザを備えている。
【００３３】
Ｗｅｂサーバ１００は、名刺編集を行うためのコンピュータプログラムを備えており、名刺に記載すべき個人情報を編集するためのＷｅｂページをクライアント１０に送信し、クライアント１０での個人情報の入力に応じて、後述する名刺編集処理を実行し、その処理結果に基づいて、動的にＷｅｂページを生成し、クライアント１０に送信する。Ｗｅｂサーバ１００は、本発明の編集装置に相当する。
【００３４】
なお、インターネットＩＮＴには、印刷業者のパーソナルコンピュータ２０や、取引先のパーソナルコンピュータ３０が接続されており、クライアント１０からの指示により、Ｗｅｂサーバ１００で編集された名刺画像を印刷業者に送信して名刺の印刷を発注したり、取引先に配信したりすることが可能である。
【００３５】
Ｂ．Ｗｅｂサーバの構成：
図２は、Ｗｅｂサーバ１００の構成を示す説明図である。Ｗｅｂサーバ１００は、図示する各機能ブロックをソフトウェア的に備えている。
【００３６】
主制御部１１０は、各機能ブロックの全体制御を行う。通信部１２０は、インターネットＩＮＴを介して、クライアント１０と各種データのやり取りを行う。通信部１２０は、例えば、Ｗｅｂページ提供部１５０によって提供されたＷｅｂページをクライアント１０に送信したり、クライアント１０からユーザＩＤおよびパスワードを取得したり、名刺に記載すべき個人情報を取得したり、名刺に用いられる、後述するテンプレートの識別ＩＤを取得したりする。通信部１２０は、本発明の個人情報取得部、識別情報取得部に相当する。
【００３７】
認証部１３０は、クライアント１０から受信したユーザＩＤおよびパスワードに基づいて、認証処理を行う。個人情報保持部１４０は、クライアント１０から受信した個人情報を一時的に保持する。
【００３８】
Ｗｅｂページ提供部１５０は、予め用意され、各クライアントに共通のＷｅｂページを提供したり、顧客データベース１８０に予め用意された名刺に用いられるテンプレートを提供したり、クライアント１０で個人情報を編集するための編集画面を提供したり、画像生成部１７０で生成された名刺画像を提供したりする。Ｗｅｂページ提供部１５０は、編集画面と名刺画像とを一体的に組み合わせて、動的にＷｅｂページを生成する機能も有している。本実施例では、Ｗｅｂページは、ＨＴＭＬ（ＨｙｐｅｒＴｅｘｔ  Ｍａｒｋｕｐ  Ｌａｎｇｕａｇｅ）で記述されるものとした。ＤＨＴＭＬ（Ｄｙｎａｍｉｃ  ＨＴＭＬ）やＸＭＬ（ｅＸｔｅｎｓｉｂｌｅ  Ｍａｒｋｕｐ  Ｌａｎｇｕａｇｅ）など他のマークアップ言語を用いるようにしてもよい。Ｗｅｂページ提供部１５０は、本発明の編集画面提供部、画像提供部、テンプレート提供部に相当する。
【００３９】
データベース参照部１６０は、顧客データベース１８０を参照する。顧客データベース１８０は、後述するように、予め登録されたテンプレートを顧客ごとに記憶している。データベース１８０は、また、個人の顧客が任意に利用可能なテンプレートも記憶している。画像生成部１７０は、クライアント１０で選択されたテンプレートと、クライアント１０で入力された個人情報とを用いて名刺画像を生成する。
【００４０】
図３は、顧客データベース１８０内のデータの一例を模式的に示す説明図である。図示するように、顧客データベース１８０は、顧客ＩＤおよび顧客名ごとに、複数のテンプレートを記憶している。こうすることによって、クライアント１０では、予め用意された複数のテンプレートの中から、ユーザの好みのテンプレートを選択することができる。各テンプレートは、各テンプレートを特定するための識別ＩＤと対応付けられている。各テンプレートには、名刺の背景デザインや、文字サイズ，フォント，位置など個人情報の段組みなどが予め設定されている。
【００４１】
Ｃ．名刺編集処理：
図４は、Ｗｅｂサーバ１００とクライアント１０とによって行われる名刺編集処理の流れを示すフローチャートである。図の左側に、クライアント１０での処理を示した。図の右側には、Ｗｅｂサーバ１００での処理を示した。
【００４２】
まず、クライアント１０が、Ｗｅｂサーバ１００の名刺編集を行うためのホームページにアクセスすると（ステップＳ１００）、Ｗｅｂサーバ１００は、クライアント１０に、Ｗｅｂページ提供部１５０によって提供されたログインページを送信する（ステップＳ１０５）。クライアント１０は、ユーザがログインページで入力したユーザＩＤおよびパスワードをＷｅｂサーバ１００に送信する（ステップＳ１１０）。Ｗｅｂサーバ１００は、認証部１３０によって、クライアント１０から取得したユーザＩＤおよびパスワードに基づいて認証処理を行う（ステップＳ１１５）。この際、Ｗｅｂサーバ１００は、ユーザＩＤに基づいて、顧客を特定する。
【００４３】
ステップＳ１１５において、クライアント１０の正当性が確認されると、クライアント１０は、Ｗｅｂサーバ１００にテンプレート選択ページを要求する（ステップＳ１２０）。Ｗｅｂサーバ１００は、データベース参照部１６０によって、顧客データベース１８０を参照し、Ｗｅｂページ提供部１５０によって、ステップＳ１１５において特定された顧客に対応したテンプレート選択ページを生成して、送信する（ステップＳ１２５）。
【００４４】
図５は、クライアント１０のディスプレイに表示されるテンプレート選択ページＷ１の一例を示す説明図である。ここでは、顧客データベース１８０に２つのテンプレートが登録されている「○○株式会社」（図３参照）用のテンプレート選択ページＷ１を例示した。図示するように、本実施例では、テンプレート選択ページＷ１には、選択可能なテンプレートのデザインが表示され、ユーザは、ラジオボタンによって所望のテンプレートを選択するものとした。こうすることによって、クライアントでは、所望のテンプレートを容易に選択することができる。また、本実施例のテンプレート選択ページＷ１では、印刷面を「片面」とするか、「両面」とするかの選択も可能である。ラジオボタンのチェック位置によって、テンプレートの識別ＩＤが特定される。
【００４５】
なお、本実施例では、ラジオボタンによってテンプレートを選択するものとしたが、例えば、テンプレート選択ページＷ１にテキストボックスを用意し、テンプレートの識別ＩＤを入力するようにしてもよい。また、本実施例では、ユーザは、１つのテンプレートを選択するものとしたが、複数のテンプレートを選択可能としてもよい。
【００４６】
ユーザがテンプレート選択ページＷ１で所望のテンプレートを選択し、「ＯＫボタン」をクリックすると、クライアント１０は、選択されたテンプレートに対応する識別ＩＤなどの情報をＷｅｂサーバ１００に送信する（図４、ステップＳ１３０）。Ｗｅｂサーバ１００は、クライアント１０から取得した識別ＩＤに基づいてテンプレートを特定し、Ｗｅｂページ提供部１５０によって、名刺の編集ページを生成して、クライアント１０に送信する（ステップＳ１３５）。
【００４７】
図６および図７は、クライアント１０のディスプレイに表示される編集ページの一例を示す説明図である。本実施例では、名刺画像の縦方向の長さと、横方向の長さとの比に基づいて、編集ページの画面構成を切り換えるものとした。図６には、名刺の向きが縦（縦長）のテンプレートが選択された場合の編集ページＷ２ａを示した。図７には、名刺の向きが横（横長）のテンプレートが選択された場合の編集ページＷ２ｂを示した。
【００４８】
名刺の向きが縦のテンプレートの場合には、図６に示したように、名刺画像ＣＰａと個人情報の編集欄Ｒａとが横（左右）に並ぶように、編集ページＷ２ａ上に配置される。一方、名刺の向きが横のテンプレートの場合には、図７に示したように、名刺画像ＣＰｂと個人情報の編集欄Ｒｂとが縦（上下）に並ぶように、編集ページＷ２ｂ上に配置される。このように配置することによって、編集ページＷ２ａ，Ｗ２ｂを見易くすることができる。編集欄Ｒａ，Ｒｂには、「部署名」、「肩書き」、「氏名」などの項目ごとに、個人情報を入力するためのテキストボックスが用意されている。
【００４９】
ユーザが各項目のテキストボックスに個人情報を入力すると（図４、ステップＳ１４０）、クライアント１０は、入力された個人情報をＷｅｂサーバ１００に送信する（ステップＳ１５０）。本実施例では、例えば、図６に示したように、「肩書き」のテキストボックスに「部長」と入力し、カーソルＣを「氏名」のテキストボックスに移動すると、「肩書き」の項目が一旦確定し、このタイミングで個人情報を送信するものとした。こうすることによって、Ｗｅｂサーバ１００は、クライアント１０のユーザが個人情報の送信指示を意識せずに、個人情報を取得することができる。
【００５０】
Ｗｅｂサーバ１００は、クライアント１０から個人情報を取得すると、個人情報保持部１４０に取得した個人情報を保持し、この個人情報と、ステップＳ１３５で特定されたテンプレートを用いて、画像生成部１７０によって、名刺画像を生成する（ステップＳ１５２）。そして、Ｗｅｂサーバ１００は、ステップＳ１５２で生成された名刺画像を用いた編集ページＷ２ａをクライアント１０に送信する（ステップＳ１５４）。例えば、図６に示したように、編集欄Ｒａの「部署名」と「肩書き」とに個人情報が入力されている場合、編集ページＷ２ａには、テンプレートに「営業部」（部署名）と「部長」（肩書き）とが記載された名刺画像ＣＰａが配置される。
【００５１】
クライアント１０は、個人情報の入力中に、ユーザによって、図６に示した「変更」ボタンが押され、テンプレートの変更指示があった場合には（ステップＳ１６０）、ステップＳ１２０に戻り、Ｗｅｂサーバ１００にテンプレート選択ページを要求する。このとき、個人情報保持部１４０には、既に入力された個人情報を保持しているので、Ｗｅｂサーバ１００がテンプレートを変更した編集ページをクライアント１０に送信する際には、保持された個人情報を用いて名刺画像を生成することができる。こうすることによって、クライアント１０で、テンプレートを変更するたびに個人情報を編集しなおす煩わしさを回避することができる。
【００５２】
ステップＳ１６０において、テンプレートの変更がなければ、名刺編集処理を終了するか否かを判断する（ステップＳ１７０）。ユーザによって、図６に示した「終了」ボタンが押されなければ、名刺編集処理を終了しないと判断して、ステップＳ１４０に戻る。「終了」ボタンが押された場合には、名刺編集処理を終了すると判断し、名刺編集処理を終了する。
【００５３】
なお、名刺編集処理の終了時に、個人情報を顧客データベース１８０に保存するようにしてもよい。顧客が複数の社員を有する企業などの場合、個人情報を社員番号などの識別情報と対応付けて保存することが好ましい。こうすることによって、後から個人情報の再編集を行い易くすることができる。
【００５４】
以上説明した本実施例の名刺編集システムによれば、クライアント１０での個人情報の編集と同期して、Ｗｅｂサーバ１００で名刺画像の生成を行い、クライアント１０で個人情報の編集欄と名刺画像とを同時に確認することができる。従って、ユーザの利便性を向上させることができる。
【００５５】
Ｄ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【００５６】
Ｄ１．変形例１：
上記実施例では、クライアント１０とＷｅｂサーバ１００（編集装置）とがインターネットＩＮＴを介して接続されるものとしたが、これに限られない。クライアントと編集装置とは、インターネットＩＮＴの代わりに、他のＷＡＮ（ＷｉｄｅＡｒｅａ  Ｎｅｔｗｏｒｋ）や、ＬＡＮ（Ｌｏｃａｌ  Ａｒｅａ  Ｎｅｔｗｏｒｋ）を介して接続されるものとしてもよい。
【００５７】
Ｄ２．変形例２：
上記実施例では、Ｗｅｂサーバ１００は、同一ウィンドウで名刺の編集欄と名刺画像とが表示されるように、編集ページを生成し送信するものとしたが、それぞれを別個に送信してもよい。また、名刺の編集欄と名刺画像とを別ウィンドウで表示するものとしてもよい。こうすることによって、クライアント１０のユーザは、各ウィンドウをディスプレイ上で自由に配置することができる。
【００５８】
Ｄ３．変形例３：
上記実施例では、画像生成部１７０における名刺画像の生成タイミングは、編集ページでの個人情報の各項目が入力されるごとのタイミングとしたが、これに限られない。例えば、文字入力の際の漢字変換の確定のタイミングや、３０秒ごとなど所定周期のタイミングなど種々のタイミングを設定可能である。
【図面の簡単な説明】
【図１】本発明の一実施例としての名刺編集システムの構成を示す説明図である。
【図２】Ｗｅｂサーバ１００の構成を示す説明図である。
【図３】顧客データベース１８０内のデータの一例を模式的に示す説明図である。
【図４】Ｗｅｂサーバ１００とクライアント１０とによって行われる名刺の編集処理の流れを示すフローチャートである。
【図５】クライアント１０のディスプレイに表示されるテンプレート選択ページＷ１の一例を示す説明図である。
【図６】クライアント１０のディスプレイに表示される編集ページの一例を示す説明図である。
【図７】クライアント１０のディスプレイに表示される編集ページの一例を示す説明図である。
【符号の説明】
１０…クライアント
２０…パーソナルコンピュータ（印刷業者）
３０…パーソナルコンピュータ（取引先）
１００…Ｗｅｂサーバ
１１０…主制御部
１２０…通信部
１３０…認証部
１４０…個人情報保持部
１５０…Ｗｅｂページ提供部
１６０…データベース参照部
１７０…画像生成部
１８０…顧客データベース
ＩＮＴ…インターネット
Ｗ１…テンプレート選択ページ
Ｗ２ａ，Ｗ２ｂ…編集ページ
ＣＰａ，ＣＰｂ…名刺画像
Ｒａ，Ｒｂ…編集欄
【図１】
2004227407.tif 000003
【図２】
2004227407.tif 000004
【図３】
2004227407.tif 000005
【図４】
2004227407.tif 000006
【図５】
2004227407.tif 000007
【図６】
2004227407.tif 000008
【図７】
2004227407.tif 000009